(57)【特許請求の範囲】
【請求項１】
バーナとバーナで加熱される熱交換器とを内蔵する燃焼筐と、燃焼筐内に燃焼用空気を供給する燃焼ファンと、燃焼ファンの吸込み側に連なる給気筒と燃焼筐の排気口に連なる排気筒との少なくとも一方とを備える燃焼装置の詰り検査方法であって、
給気筒と排気筒とのうち燃焼装置が具備するものを付属筒として、付属筒を取付けた状態でバーナを燃焼させずに燃焼ファンを作動させ、このときに燃焼ファンに流れる空気量を検出して、この空気量と燃焼ファンの回転数との関係から付属筒を含む燃焼装置全体の通気抵抗を算定する第１検査工程と、
付属筒を取外した状態でバーナを燃焼させずに燃焼ファンを作動させ、このときに燃焼ファンに流れる空気量を検出して、この空気量と燃焼ファンの回転数との関係から付属筒以外の燃焼装置の部分の通気抵抗を算定する第２検査工程とを備え、
燃焼装置の設置後の所定時期に第１の検査工程を実行して、第１検査工程で算定された通気抵抗が燃焼装置全体の基準通気抵抗に基づいて定められる所定の第１上限値を上回るときは、第２検査工程を実行して、第２検査工程で算定された通気抵抗が付属筒以外の燃焼装置の部分の基準通気抵抗に基づいて定められる所定の第２上限値を上回るときは、燃焼装置本体部分での詰りを生じていると判断し、第２検査工程で算定された通気抵抗が第２上限値以下のときは、付属筒の詰りを生じていると判断することを特徴とする燃焼装置の詰り検査方法。
【請求項２】
請求項１記載の燃焼装置の詰り検査方法であって、燃焼装置が付属筒として給気筒と排気筒の両者を備えるものにおいて、
給気筒と排気筒の一方の筒のみを取付けた状態でバーナを燃焼させずに燃焼ファンを所定回転数で作動させ、このときに燃焼ファンに流れる空気量を検出して、この空気量と燃焼ファンの回転数との関係から前記一方の筒を含む燃焼装置の通気抵抗を算定する第３検査工程を備え、
第２検査工程で算定された通気抵抗が第２上限値以下になって付属筒の詰りを生じていると判断されたときは、第３検査工程を実行して、第３検査工程で算定された通気抵抗が前記一方の筒を含む燃焼装置の基準通気抵抗に基づいて定められる第３上限値を上回るときは、前記一方の筒の詰りを生じていると判断し、第３検査工程で算定された通気抵抗が第３上限値以下であるときは、前記一方の筒以外の給気筒又は排気筒の詰りを生じていると判断することを特徴とする燃焼装置の詰り検査方法。
【請求項３】
請求項１記載の燃焼装置の詰り検査方法であって、前記第１と第２の各検査工程では、燃焼ファンを所定回転数で作動させたときに燃焼ファンに流れる空気量から、または、燃焼ファンに流れる空気量が所定量になるように回転数を制御しつつ燃焼ファンを作動させたときの燃焼ファンの回転数から対応する通気抵抗を算定することを特徴とする燃焼装置の詰り検査方法。
【請求項４】
請求項２記載の燃焼装置の詰り検査方法であって、前記第１〜第３の各検査工程では、燃焼ファンを所定回転数で作動させたときに燃焼ファンに流れる空気量から、または、燃焼ファンに流れる空気量が所定量になるように回転数を制御しつつ燃焼ファンを作動させたときの燃焼ファンの回転数から対応する通気抵抗を算定することを特徴とする燃焼装置の詰り検査方法。
【発明の詳細な説明】
【技術分野】
【０００１】
本発明は、バーナとバーナで加熱される熱交換器とを内蔵する燃焼筐と、燃焼筐内に燃焼用空気を供給する燃焼ファンと、燃焼ファンの吸込み側に連なる給気筒と燃焼筐の排気口に連なる排気筒との少なくとも一方とを備える燃焼装置の詰り検査方法に関する。
【背景技術】
【０００２】
従来、給気筒と排気筒とのうち燃焼装置が具備するものを付属筒として、バーナを燃焼させない状態で燃焼ファンを所定回転数で作動させ、このときに燃焼ファンに流れる空気量を検出して表示し、表示された空気量から付属筒の長さ（通気抵抗）を判別し、付属筒の通気抵抗を可変するダンパーを付属筒の長さに合わせて調節し、付属筒の通気抵抗を所定範囲に収めるようにした燃焼装置が知られている（特許文献１参照）。
【０００３】
ところで、燃焼装置をある程度使用すると、付属筒の詰りや、付属筒以外の燃焼装置の部分（例えば、熱交換器）の詰りを生ずることがある。ここで、上記従来技術を利用し、バーナを燃焼させない状態で燃焼ファンを所定回転数で作動させ、このときに燃焼ファンに流れる空気量を検出すれば、この空気量から付属筒を含む燃焼装置全体の通気抵抗を算定することができる。そして、付属筒や付属筒以外の燃焼装置の部分の詰りを生ずると、燃焼装置全体の通気抵抗が増加するから、上記の如く算定する通気抵抗に基づいて付属筒や付属筒以外の燃焼装置の部分の詰りの有無を判別できる。
【０００４】
然し、この方法では、付属筒と付属筒以外の燃焼装置の部分の何れで詰りを生じているかは判別できず、詰りを解消するのに手間がかかってしまう。
【先行技術文献】
【特許文献】
【０００５】
【特許文献１】特開２００６−６４２３２号公報
【発明の概要】
【発明が解決しようとする課題】
【０００６】
本発明は、以上の点に鑑み、付属筒と付属筒以外の燃焼装置の部分の何れで詰りを生じているか判別できるようにした燃焼装置の詰り検査方法を提供することをその課題としている。
【課題を解決するための手段】
【０００７】
上記課題を解決するために、本発明は、バーナとバーナで加熱される熱交換器とを内蔵する燃焼筐と、燃焼筐内に燃焼用空気を供給する燃焼ファンと、燃焼ファンの吸込み側に連なる給気筒と燃焼筐の排気口に連なる排気筒との少なくとも一方とを備える燃焼装置の詰り検査方法であって、給気筒と排気筒とのうち燃焼装置が具備するものを付属筒として、付属筒を取付けた状態でバーナを燃焼させずに燃焼ファンを作動させ、このときに燃焼ファンに流れる空気量を検出して、この空気量と燃焼ファンの回転数との関係から付属筒を含む燃焼装置全体の通気抵抗を算定する第１検査工程と、付属筒を取外した状態でバーナを燃焼させずに燃焼ファンを作動させ、このときに燃焼ファンに流れる空気量を検出して、この空気量と燃焼ファンの回転数との関係から付属筒以外の燃焼装置の部分の通気抵抗を算定する第２検査工程とを備え、燃焼装置の設置後の所定時期に第１検査工程を実行して、第１検査工程で算定された通気抵抗が燃焼装置全体の基準通気抵抗に基づいて定められる所定の第１上限値を上回るときは、第２検査工程を実行して、第２検査工程で算定された通気抵抗が付属筒以外の燃焼装置の部分の基準通気抵抗に基づいて定められる所定の第２上限値を上回るときは、付属筒以外の燃焼装置の部分での詰りを生じていると判断し、第２検査工程で算定された通気抵抗が第２上限値以下のときは、付属筒の詰りを生じていると判断することを特徴とする。
【０００８】
ここで、付属筒と付属筒以外の燃焼装置の部分の何れで詰りを生じても、第１検査工程で算定される通気抵抗は第１基準値を上回る。そして、詰りの箇所が付属筒以外の燃焼装置の部分であれば、付属筒を取外して行う第２検査工程で算定される通気抵抗は第２基準値を上回り、また、詰りの箇所が付属筒であれば、第２検査工程で算定される通気抵抗は第２基準値以下となる。従って、本発明によれば、付属筒と付属筒以外の燃焼装置の部分の何れで詰りを生じているか判別できる。
【０００９】
また、本発明において、燃焼装置が付属筒として給気筒と排気筒の両者を備える場合は、給気筒と排気筒の一方の筒のみを取付けた状態でバーナを燃焼させずに燃焼ファンを作動させ、このときに燃焼ファンに流れる空気量を検出して、この空気量と燃焼ファンの回転数との関係から前記一方の筒を含む燃焼装置の通気抵抗を算定する第３検査工程を備え、第２検査工程で算定された通気抵抗が第２上限値以下になって付属筒の詰りを生じていると判断されたときは、第３検査工程を実行して、第３検査工程で算定された通気抵抗が前記一方の筒を含む燃焼装置の基準通気抵抗に基づいて定められる第３上限値を上回るときは、前記一方の筒の詰りを生じていると判断し、第３検査工程で算定された通気抵抗が第３上限値以下であるときは、前記一方の筒以外の給気筒又は排気筒の詰りを生じていると判断することが望ましい。これによれば、給気筒と排気筒の何れで詰りを生じているかも判別できる。
【００１０】
また、本発明において、第１と第２の各検査工程では、また、第３検査工程を備える場合は第３検査工程でも、燃焼ファンを所定回転数で作動させたときに燃焼ファンに流れる空気量から、または、燃焼ファンに流れる空気量が所定量になるように回転数を制御しつつ燃焼ファンを作動させたときの燃焼ファンの回転数から対応する通気抵抗を算定すればよい。
【図面の簡単な説明】
【００１１】
【図１】本発明方法を実施する燃焼装置の一例を示す模式図。
【図２】本発明の実施形態の詰り検査方法の手順を示すフロー図。
【発明を実施するための形態】
【００１２】
図１を参照して、１は、燃焼装置の密閉型ハウジングを示している。ハウジング１内には、複数のバーナ３とバーナ３で加熱される熱交換器４とを内蔵する燃焼筐２と、燃焼筐２内に燃焼用空気を供給する燃焼ファン５とが収納されている。
【００１３】
また、燃焼装置は、これに付属する付属筒として、燃焼ファン５の吸込み側にハウジング１の内部空間を介して連なる給気筒６と、燃焼筐２の排気口２ａに連なる排気筒７とを備え、更に、バーナ３及び燃焼ファン５を制御する制御手段たるコントローラ８を備えている。また、コントローラ８にはリモコン８ａが接続されている。
【００１４】
燃焼装置は、更に、燃焼ファン５に流れる空気量を検出する空気量検出手段９を備えている。この空気量検出手段９は、ハウジング１の内圧を検出する第１圧力センサ９ａと燃焼ファン５の吸込み側の負圧を検出する第２圧力センサ９ｂとで構成され、第１圧力センサ９ａの検出圧力と第２圧力センサ９ｂの検出圧力との差圧に基づいて燃焼ファン５に流れる空気量を演算する。尚、燃焼ファン５に流れる空気量は、燃焼ファン５と燃焼筐２との間のダクト部分に配置した風量センサや、空気量に比例して変化する燃焼ファン５のモータ電流から検出することも可能である。
【００１５】
ここで、燃焼装置をある程度使用すると、付属筒の詰りや、熱交換器４等の付属筒以外の燃焼装置の部分の詰りを生ずることがある。そこで、本実施形態では、燃焼装置の設置後の所定時期に図２に示す手順で燃焼装置の詰り検査を行うようにしている。
【００１６】
詰り検査では、先ず、ＳＴＥＰ１において第１検査工程を実行する。第１検査工程では、付属筒、即ち、給気筒６及び排気筒７を取付けた状態でバーナ３を燃焼させずに燃焼ファン５を所定回転数で作動させ、このときに燃焼ファン５に流れる空気量を空気量検出手段９で検出する。そして、コントローラ８に記憶されている空気量と通気抵抗との相関関係に基づいて、空気量検出手段９で検出した空気量から付属筒を含む燃焼装置全体の通気抵抗Ａを算出する。
【００１７】
次に、ＳＴＥＰ２において、第１検査工程で算定した通気抵抗Ａが燃焼装置全体の基準通気抵抗に基づいて定められる所定の第１上限値以下であるか否かを判別する。尚、製品試験で各種の長さ、径の付属筒を取付けて燃焼装置全体の通気抵抗を計測しておき、燃焼装置の設置現場で使用した付属筒の長さ、径に合致する燃焼装置全体の通気抵抗を検索して、これを基準通気抵抗に設定する。そして、この基準通気抵抗に所定の抵抗増加許容分を加えた値が第１上限値に設定される。
【００１８】
通気抵抗Ａが第１上限値以下であれば、ＳＴＥＰ３に進んで正常と判断する。一方、通気抵抗Ａが第１上限値を上回っていれば、ＳＴＥＰ４で第２検査工程を実行する。第２検査工程では、付属筒、即ち、給気筒６及び排気筒７を取外した状態でバーナ３を燃焼させずに燃焼ファン５を所定回転数で作動させ、このときに空気量検出手段９で検出される空気量から付属筒以外の燃焼装置の部分（ハウジング１の給気筒接続口から燃焼筐２の排気口２ａまでの部分）の通気抵抗Ｂを算出する。
【００１９】
次に、ＳＴＥＰ５において、第２検査工程で算定した通気抵抗Ｂが付属筒以外の燃焼装置の部分の基準通気抵抗に基づいて定められる所定の第２上限値以下であるか否かを判別する。尚、付属筒以外の燃焼装置の部分の基準抵抗値としては、製品試験で計測した付属筒以外の燃焼装置の部分の通気抵抗が用いられる。そして、この基準通気抵抗に所定の抵抗増加許容分を加えた値が第２上限値に設定される。
【００２０】
ここで、付属筒以外の燃焼装置の部分の詰りを生じている場合は、通気抵抗Ｂが第２上限値を上回る。そこで、通気抵抗Ｂが第２上限値を上回っていれば、ＳＴＥＰ６に進んで付属筒以外の燃焼装置の部分の詰りを生じたと判断し、その旨をリモコン８ａに表示する。
【００２１】
一方、通気抵抗Ｂが第２上限値以下になるのは、付属筒の詰りを生じている場合であるが、給気筒６と排気筒７の何れの詰りを生じているかは分からない。そこで、通気抵抗Ｂが第２上限値以下であれば、ＳＴＥＰ７で第３検査工程を実行する。第３検査工程では、排気筒７を取付けた状態でバーナ３を燃焼させずに燃焼ファン５を所定回転数で作動させ、このときに空気量検出手段９で検出される空気量から排気筒７を含む燃焼装置の通気抵抗Ｃを算定する。
【００２２】
次に、ＳＴＥＰ８において、第３検査工程で算定した通気抵抗Ｃが排気筒７を含む燃焼装置の基準通気抵抗に基づいて定められる所定の第３上限値以下であるか否かを判別する。尚、排気筒７を含む燃焼装置の基準通気抵抗値としては、製品試験で計測した排気筒７を含む燃焼装置の通気抵抗が用いられる。そして、この基準通気抵抗に所定の抵抗増加許容分を加えた値が第３上限値に設定される。
【００２３】
ここで、通気抵抗Ｃが第３上限値を上回るのは、排気筒７の詰りを生じている場合であり、通気抵抗Ｃが第３上限値以下になるのは、給気筒６の詰りを生じている場合である。従って、通気抵抗Ｃが第３上限値を上回っていれば、ＳＴＥＰ９に進んで排気筒７の詰りを生じたと判断し、その旨をリモコン８ａに表示する。また、通気抵抗Ｃが第３上限値以下であれば、ＳＴＥＰ１０に進んで給気筒６の詰りを生じたと判断し、その旨をリモコン８ａに表示する。
【００２４】
このように本実施形態の詰り検査方法によれば、詰りの発生箇所を判別でき、詰り解消の修理作業を迅速に行うことができる。
【００２５】
以上、本発明の実施形態について図面を参照して説明したが、本発明はこれに限定されない。例えば、第３検査工程において、排気筒７に代えて給気筒６を取付けてもよい。また、第１〜第３の各検査工程において、空気量検出手段９で検出される空気量（燃焼ファン５に流れる空気量）が所定量になるように回転数を制御しつつ燃焼ファン５を作動させることも可能である。この場合は、コントローラ８に、空気量を所定量にしたときの燃焼ファン５の回転数と通気抵抗との相関関係を記憶させておき、燃焼ファン５の回転数からこの相関関係に基づいて対応する通気抵抗を算定する。
【００２６】
また、上記実施形態は、付属筒として給気筒６と排気筒７の両者を備える燃焼装置を対象としているが、給気筒６と排気筒７との一方のみを備える燃焼装置の詰り検査方法にも本発明を適用できる。この場合は、第２検査工程で算定した通気抵抗ＢがＳＴＥＰ５で第２上限値以下と判別されたとき、第３検査工程を実行することなく、給気筒６と排気筒７との一方から成る付属筒の詰りを生じたと判断する。
【符号の説明】
【００２７】
２…燃焼筐、３…バーナ、４…熱交換器、５…燃焼ファン、６…給気筒、７…排気筒。
【図１】
0006359991.tif 000002
【図２】
0006359991.tif 000003